(57)【要約】【課題】構成を複雑とすることなく、個々のユーザの嗜好にあった出力の質調整を容易に行い得るようにする。【解決手段】画質変更部２１は、入力画像信号に対して、調整された解像度とノイズ除去度で解像度創造処理を行う。倍率変更部３１は、設定されたズーム率に基づいて、入力画像信号に対して、画像を拡大または縮小する処理を行う。変更部（処理本体部）１２に、蓄積部４１を持つ回収基板部１４が着脱自在に接続されている。蓄積部４１は、画像信号源の切替、放送チャネルの切替、ズーム率、解像度、ノイズ除去度の変更に係る制御命令を、履歴として蓄積する。回収基板部１４を回収し、蓄積部４１の蓄積内容に基づいて、各状態における、ユーザに対応した出力の質調整情報（解像度、ノイズ除去度の予測調整値、調整範囲情報）を得ることができる。【選択図】        図１
2006211254.tif 000002
【特許請求の範囲】
【請求項１】
処理本体部と、該処理本体部に着脱自在に接続される回収基板部とを有し、
上記処理本体部は、
入力される情報信号を、該情報信号による出力の質が所定の質となるように処理する信号処理部と、
上記信号処理部における上記所定の質をユーザが調整するための調整手段と、
上記入力される情報信号の状態および上記情報信号による出力の状態の少なくともいずれかをユーザが設定するための設定手段とを備え、
上記回収基板部は、
上記設定手段による設定の履歴および上記調整手段による調整の履歴を蓄積する蓄積部を備える
ことを特徴とする情報処理装置。
【請求項２】
上記入力される情報信号の入力状態は、該情報信号が得られる放送チャネルの切替状態および該情報信号を得る情報信号源の切替状態の少なくともいずれかである
ことを特徴とする請求項１に記載の情報処理装置。
【請求項３】
上記情報信号は画像信号であり、
上記情報信号による出力の状態は、画像信号による画像のズーム状態である
ことを特徴とする請求項１に記載の情報処理装置。
【請求項４】
上記回収基板部は、
上記設定手段で設定される各状態に対応した、上記情報信号による出力の質の予測調整値を保持する第１の保持部をさらに備える
ことを特徴とする請求項１に記載の情報処理装置。
【請求項５】
上記回収基板部または上記処理本体部は、上記設定手段で所定の状態に設定されるとき、上記回収基板部の第１の保持部に保持されている、該所定の状態の予測調整値に対応した出力の質となるように上記信号処理部を制御する制御手段をさらに備える
ことを特徴とする請求項４に記載の情報処理装置。
【請求項６】
上記回収基板部は、
上記設定手段で設定される各状態に対応した、上記調整手段による上記出力の質の調整範囲の情報を保持する第２の保持部をさらに備える
ことを特徴とする請求項１に記載の情報処理装置。
【請求項７】
上記信号処理部は、
入力情報信号に基づいて、出力情報信号における注目位置の周辺に位置する複数の情報データを選択するデータ選択部と、
係数種データおよび上記調整手段による調整値を用いて推定式の係数データを生成する係数データ生成部と、
上記データ選択部で選択された複数の情報データおよび上記係数データ生成部で生成された係数データを用い、上記推定式に基づいて、上記出力情報信号における注目位置の情報データを算出して得る演算部とを有し、
上記回収基板部は、
上記設定手段で設定される各状態に対応した、上記係数種データを保持する第３の保持部をさらに備える
ことを特徴とする請求項１に記載の情報処理装置。
【請求項８】
入力される情報信号を、該情報信号による出力の質が所定の質となるように処理する信号処理部と、
上記信号処理部における上記所定の質をユーザが調整するための調整手段と、
上記入力される情報信号の状態および上記情報信号による出力の状態の少なくともいずれかをユーザが設定するための設定手段とを備える情報処理装置に着脱自在に接続される回収基板であって、
上記設定手段による設定の履歴および上記調整手段による調整の履歴を蓄積する蓄積部を備える
ことを特徴とする回収基板。
【請求項９】
上記設定手段で設定される各状態に対応した、上記情報信号による出力の質の予測調整値を保持する第１の保持部をさらに備える
ことを特徴とする請求項８に記載の回収基板。
【請求項１０】
上記設定手段で設定される各状態に対応した、上記調整手段による上記出力の質の調整範囲の情報を保持する第２の保持部をさらに備える
ことを特徴とする請求項８に記載の回収基板。
【発明の詳細な説明】
【技術分野】
【０００１】
この発明は、例えばテレビ受信機等に適用して好適な情報処理装置および回収基板に関する。
【０００２】
詳しくは、この発明は、処理本体部に着脱自在に接続される回収基板部に、入力される情報信号の状態や情報信号による出力の状態の設定の履歴および情報信号による出力の質の調整の履歴を蓄積する蓄積部を備えることによって、この回収基板部を回収し、蓄積部の蓄積内容に基づいて、設定手段で設定される各状態の、ユーザに対応した出力の質調整情報を得ることができ、構成を複雑とすることなく、個々のユーザの嗜好にあった出力の質調整を容易に行い得るようにした情報処理装置および回収基板に係るものである。
【背景技術】
【０００３】
最近、ズーム機能を有するテレビ受信機が提案されている。このテレビ受信機においては、ユーザは、自分自身が好むズーム倍率に画像を拡大または縮小して表示させることができる。
【０００４】
画像を拡大または縮小した場合、ＭＴＦ（Modulation Transfer Function）も変化する。例えば、特許文献１には、拡大または縮小の倍率に応じた補正係数を用意しておき、その補正係数に基づいてＭＴＦを調整することが記載されている。
【０００５】
【特許文献１】特許第２７８９５６０号公報
【発明の開示】
【発明が解決しようとする課題】
【０００６】
しかし、特許文献１に記載される技術では、倍率に応じて一義的に定まる補正係数に基づいて画質を調整するものであり、個々のユーザの嗜好に合った画質を提供することが難しかった。
【０００７】
この発明の目的は、構成を複雑とすることなく、個々のユーザの嗜好にあった出力の質調整を容易に行い得るようにすることにある。
【課題を解決するための手段】
【０００８】
この発明に係る情報処理装置は、処理本体部と、この処理本体部に着脱自在に接続される回収基板部とを有し、処理本体部は、入力される情報信号を、この情報信号による出力の質が所定の質となるように処理する信号処理部と、この信号処理部における所定の質をユーザが調整するための調整手段と、入力される情報信号の状態および情報信号による出力の状態の少なくともいずれかをユーザが設定するための設定手段とを備え、回収基板部は、設定手段による設定の履歴および調整手段による調整の履歴を蓄積する蓄積部を備えるものである。
【０００９】
また、この発明に係る回収基板は、入力される情報信号を、この情報信号による出力の質が所定の質となるように処理する信号処理部と、この信号処理部における所定の質をユーザが調整するための調整手段と、入力される情報信号の状態および情報信号による出力の状態の少なくともいずれかをユーザが設定するための設定手段とを備える情報処理装置に着脱自在に接続される回収基板であって、設定手段による設定の履歴および調整手段による調整の履歴を蓄積する蓄積部を備えるものである。
【００１０】
この発明においては、回収基板部（回収基板）は処理本体部（情報処理装置）に着脱自在に接続される。処理本体部では、信号処理部で、入力される情報信号が、この情報信号による出力の質が所定の質となるように処理される。
【００１１】
情報信号は、例えば、画像信号、音声信号などである。情報信号が画像信号であるとき、情報信号による出力の質とは、例えば画像信号による画像の解像度、ノイズ除去度等である。情報信号が音声信号であるとき、情報信号による出力の質とは、例えば音声信号による音声のノイズ除去度等である。
【００１２】
また、この処理本体部では、調整手段により、ユーザが、信号処理部における所定の質を調整できるようにされている。同様に、この処理本体部では、設定手段により、ユーザが、入力される情報信号の状態および情報信号による出力の状態の少なくともいずれかを設定できるようにされている。
【００１３】
例えば、入力される情報信号の入力状態は、この情報信号が得られる放送チャネルの切替状態およびこの情報信号を得る情報信号源の切替状態の少なくともいずれかとされる。また例えば、情報信号による出力の状態は、情報信号が画像信号であるとき、例えば画像信号による画像のズーム状態とされる。
【００１４】
回収基板部は蓄積部を備えている。この蓄積部に、入力される情報信号の状態や情報信号による出力の状態の設定の履歴および情報信号による出力の質の調整の履歴が蓄積されている。この回収基板部を回収し、蓄積部の蓄積内容に基づいて、設定手段で設定される各状態の、ユーザに対応した出力の質調整情報を得ることができる。
【００１５】
例えば、質調整情報は、設定手段で設定される各状態に対応した、情報信号による出力の質の予測調整値とされる。また例えば、質調整情報は、設定手段で設定される各状態に対応した、出力の質の調整範囲の情報とされる。例えば、この調整範囲は、予測調整値が略中心となる一定範囲とされる。質調整情報が予測調整値であるとき、設定手段で設定される状態の予測調整値に対応した出力の質となるように信号処理部を制御することで、自動的にユーザの嗜好にあった出力の質となる。また、質調整情報が調整範囲情報であるとき、その情報を用いることで、ユーザは自分が嗜好する出力の質に簡単かつ確実に調整できる。
【００１６】
この質調整情報は、例えばメモリカード等を用いることで、処理本体部に提供できる。なお、回収基板部が、予測調整値を保持する第１の保持部、規制情報を保持する第２の保持部を備える構成とすることで、メモリカード等を用いることなく、この回収基板部により質調整情報を処理本体部に提供できる。
【００１７】
例えば、回収基板部または処理本体部が、設定手段で所定の状態に設定されるとき、回収基板部の第１の保持部に保持されている、この所定の状態の予測調整値に対応した出力の質となるように信号処理部を制御する制御手段を備える構成とすることで、設定手段により所定の状態に設定される都度、ユーザの嗜好に合った出力の質に自動的に調整される。
【００１８】
例えば、信号処理部は、入力情報信号に基づいて、出力情報信号における注目位置の周辺に位置する複数の情報データを選択するデータ選択部と、係数種データおよび調整手段による調整値を用いて推定式の係数データを生成する係数データ生成部と、データ選択部で選択された複数の情報データおよび係数データ生成部で生成された係数データを用い、推定式に基づいて、出力情報信号における注目位置の情報データを算出して得る演算部とを有する構成とされる。この場合、設定手段で設定される各状態に対応した係数種データは、その各状態の調整範囲にある質の学習データを用いて生成されたものとされる。例えば、回収基板部は、この係数種データを保持する第３の保持部を備える構成とされる。
【発明の効果】
【００１９】
この発明によれば、処理本体部（情報処理装置）に着脱自在に接続される回収基板部（回収基板）に、入力される情報信号の状態や情報信号による出力の状態の設定の履歴および情報信号による出力の質の調整の履歴を蓄積する蓄積部を備えるものであり、この回収基板部を回収し、蓄積部の蓄積内容に基づいて、設定手段で設定される各状態の、ユーザに対応した出力の質調整情報を得ることができ、構成を複雑とすることなく、個々のユーザの嗜好にあった出力の質調整を容易に行い得るようにできる。
【発明を実施するための最良の形態】
【００２０】
この発明の実施の形態について説明する。図１は、この発明を適用した画像処理装置の原理的構成を示している。この画像処理装置１は、入力装置１１、変更部１２、出力デバイス１３、および回収基板部１４により構成されている。
【００２１】
入力装置１１は、画像信号を入力信号として変更部１２に入力する。変更部１２は、入力された画像信号を処理し、出力信号として出力デバイス１３に出力し、この出力デバイス１３に画像を表示させる。
【００２２】
入力装置１１は、例えばテレビチューナ、ＤＶＤ(Digital Versatile Disk)プレーヤ、ＶＣＲ(Video Cassette Recorder)等からなる。ユーザは、テレビチューナ、ＤＶＤプレーヤ、ＶＣＲ等の画像信号源の切替状態、テレビチューナにおける放送チャネルの切替状態を、入力される画像信号の状態として任意に設定できる。
【００２３】
変更部１２は、画質変更部２１と倍率変更部３１とを有している。画質変更部２１は、つまみ２２，２４を有している。ユーザはつまみ２２を操作することで解像度を調整でき、調整された解像度の値は表示部２３に表示される。同様に、ユーザはつまみ２４を操作することでノイズ除去度を調整でき、調整されたノイズ除去度の値は表示部２５に表示される。倍率変更部３１は、つまみ３２を有している。ユーザはつまみ３２を操作することで、画像信号による出力の状態としてのズーム率（ズーム状態）を設定でき、設定されたズーム率の値は表示部３３に表示される。
【００２４】
回収基板部１４は、上述した処理本体部を構成する変更部１２に着脱自在に接続される。この回収基板部１４、蓄積部４１を有している。この蓄積部４１は、少なくとも画像信号源の切替、放送チャネルの切替、ズーム率、解像度、ノイズ除去度の変更に係る制御命令を、履歴として蓄積する。
【００２５】
図１に示す画像処理装置１の動作を説明する。入力装置１１から入力された画像信号は、変更部１２を介して出力デバイス１３に供給され、出力デバイス１３において対応する画像が表示される。ユーザは、この画像を見て、画像をより拡大または縮小したいとき、つまみ３２を操作してズーム率を設定する。設定されたズーム率は、表示部３３に表示される。倍率変更部３１は、設定されたズーム率に基づいて、入力装置１１より入力された画像信号に対して、その画像を拡大または縮小する処理を行い、処理の結果得られた画像信号を出力デバイス１３に出力する。これにより、出力デバイス１３には、ユーザが設定したズーム率の画像が表示される。
【００２６】
同様にして、ユーザは、つまみ２２を操作することで解像度を調整し、またつまみ２４を操作することでノイズ除去度を調整する。調整された解像度とノイズ除去度の値は、それぞれ表示部２３と表示部２５に表示される。画質変更部２１は、入力装置１１から入力された画像信号に対して、調整された解像度とノイズ除去度で、例えば解像度創造処理を行う。処理後の画像信号は、さらに、倍率変更部３１で、設定されたズーム率に基づいて画像の縮小または拡大の処理が行われ、出力デバイス１３に供給される。このようにして、出力デバイス１３には、ユーザが設定したズーム率で、ユーザが調整した解像度、ノイズ除去度の解像度創造処理が行われた画像が表示される。
【００２７】
回収基板部１４の蓄積部４１には、ズーム率の変更、解像度、ノイズ除去度の変更、さらには画像信号源の切替、放送チャネルの切替などに係る制御命令が履歴として蓄積される。
【００２８】
この回収基板部１４を回収することで、蓄積部４１の蓄積内容に基づいて、各状態におけるユーザに対応した出力の質調整情報を得ることができる。ここで、各状態は、画像信号源の切替、放送チャネルの切替、ズーム率の変更によって変化する、入力される画像信号の状態および画像信号による画像のズーム状態の組み合わせで構成される。
【００２９】
例えば、この質調整情報として、各状態に対応した画像信号による出力の質の予測調整値、ここでは解像度、ノイズ除去度の予測調整値を得ることができる。また例えば、この質調整情報として、各状態に対応した、出力の質の調整範囲の情報、ここでは解像度、ノイズ除去度の調整範囲の情報を得ることができる。この調整範囲は、例えば予測調整値が略中心となる一定範囲とされる。
【００３０】
この各状態に対応した、解像度、ノイズ除去度の予測調整値およびその調整範囲の求め方については後述する。
【００３１】
このように求められたユーザに対応した出力の質調整情報（解像度、ノイズ除去度の予測調整値、および解像度、ノイズ除去度の調整範囲情報）については、カードメモリなどで変更部１２に提供して利用できるが、本実施の形態においては、回収基板部１４に、当該質調整情報を保持する保持部（図１には図示せず）を設けており、これに保持されて変更部１２に提供される。
【００３２】
例えば、所定の状態に設定されるとき、回収基板部１４の保持部に保持されている、この所定の状態の解像度、ノイズ除去度の予測調整値に対応した解像度、ノイズ除去度で解像度創造処理が行われるように画質変更部２１が制御され、ユーザの嗜好に合った解像度、ノイズ除去度の解像度創造処理が行われた画像が表示されるようになる。
【００３３】
また例えば、所定の状態に設定されるとき、回収基板部１４の保持部に保持されている、この所定の状態の解像度、ノイズ除去度の調整範囲情報により調整範囲が規制されることで、ユーザは自分が嗜好する解像度、ノイズ除去度に簡単かつ確実に調整できるようになる。
【００３４】
図２は、この発明を適用した画像処理装置の具体的な構成を示している。この画像処理装置５１は、テレビチューナ６１、入力切替部６２、倍率画質変更部６３、画質設定部６４、音質設定部６５、モニタ６６、受光部６７、制御部６８、リムーバブルメディア６９、および回収基板部７０により構成されている。回収基板部７０は、図１の回収基板部１４に対応したものであり、さらに蓄積部８１、情報取得部８２および係数メモリ８３により構成されている。そして、これらの各部は、バス６０により相互に接続され、必要な制御命令が、各部に供給されるようになされている。
【００３５】
テレビチューナ６１は、図示せぬアンテナを介して受信した地上波、衛星等からの放送信号を復調し、画像信号と音声信号を入力切替部６２に出力する。入力切替部６２にはまた、図示せぬＤＶＤプレーヤまたはＶＣＲなどから出力された画像信号と音声信号も入力されている。ここで、テレビチューナ６１、ＤＶＤプレーヤ、ＶＣＲ等は、それぞれ、画像信号源を構成している。入力切替部６２は、制御部６８からの指令に基づいて、入力された画像信号と音声信号のうち、所定の画像信号源（ソース）のものを選択し、選択された画像信号を倍率画質変更部６３に供給するとともに、選択された音声信号を音質設定部６５に出力する。
【００３６】
倍率画質変更部６３は、入力された画像信号の倍率と画質を、制御部６８からの制御命令に基づいて変更し、画質設定部６４に出力する。すなわち、倍率画質変更部６３は、図１における変更部１２に対応する機能を有する。倍率画質変更部６３は、入力された画像信号に対して、解像度、ノイズ除去度の画質変更処理およびズーム率の変更処理を行う。
【００３７】
画質設定部６４は、倍率画質変更部６３で変更される以外の画質、例えば、明るさ、色合いなどの設定を行う。画質設定部６４により明るさや色合いが調整された画像信号は、モニタ６６に供給される。音質設定部６５は、入力された音声信号の音質を制御部６８からの制御命令に基づいて調整設定し、モニタ６６に出力する。モニタ６６は、入力された画像信号に対応する画像を表示するとともに、入力された音声信号に対応する音声を、内蔵するスピーカから出力する。
【００３８】
制御部６８は、例えば、マイクロコンピュータなどにより構成される。受光部６７は、図示せぬリモートコントローラからの赤外線信号を受光し、その赤外線信号に対応する信号を制御部６８に出力する。リムーバブルメディア６９は、必要に応じて装着され、記録されているプログラムなどを制御部６８に供給する。制御部６８は、受光部６７より供給された信号に基づいて、対応する制御命令を生成し、バス６０を介して各部に出力する。
【００３９】
回収基板部７０の情報取得部８２は、例えば、マイクロコンピュータなどにより構成され、バス６０を介して入力された制御命令に基づいて、蓄積部８１および倍率画質変更部６３の動作を制御する。蓄積部８１（図１の蓄積部４１に対応する）は、情報取得部８２により取得された制御命令を履歴として蓄積する。
【００４０】
情報取得部８２は、不揮発性メモリ８２ａを備えている。この不揮発性メモリ８２ａに、上述した各状態（画像信号源の切替、放送チャネルの切替、ズーム率の変更によって変化する、入力される画像信号の状態および画像信号による画像のズーム状態の組み合わせで構成される）の、出力の質調整情報（解像度、ノイズ除去度の予測調整値、および解像度、ノイズ除去度の調整範囲情報）が保持されている。この不揮発性メモリ８２ａは、第１の保持部および第２の保持部を構成している。
【００４１】
情報取得部８２は、制御命令がズーム倍率の変更、画像信号源の切替、あるいは放送チャネルの切替に係るものであって、所定の状態に設定されるとき、その所定の状態に対応した、解像度、ノイズ除去度の予測調整値を、不揮発性メモリ８２ａから読み出して倍率画質変更部６３に送信し、この倍率画質変更部６３の画質変更部で、その解像度、ノイズ除去度の予測調整値に対応した解像度創造処理が行われるように制御する。
【００４２】
なお、この制御は、処理本体部側にある制御部６８で行うようにしてもよい。この場合、制御部６８は、所定の状態に設定されるとき、その所定の状態に対応した、解像度、ノイズ除去度の予測調整値を、不揮発性メモリ８２ａから読み出して倍率画質変更部６３に送る。
【００４３】
係数メモリ８３は、不揮発性メモリからなり、倍率画質変更部６３の画質変更部で用いる、各状態（画像信号源の切替、放送チャネルの切替、ズーム率の変更によって変化する、入力される画像信号の状態および画像信号による画像のズーム状態の組み合わせで構成される）における、各クラスの係数種データを保持する。
【００４４】
ここで、倍率画質変更部６３の画質変更部の構成例を説明する。図３は、この画質変更部の構成例を示している。
【００４５】
この画質変更部は、画像信号Ｖａが入力される入力端子２０１と、この入力端子２０１に入力された画像信号Ｖａを処理する処理部２０２と、この処理部２０２で得られた画像信号Ｖｂを出力する出力端子２０３と、処理部２０２の動作を制御する制御部２０４とを有している。
【００４６】
制御部２０４は、バス６０で送られてくる制御命令などに基づいて、処理部２０２の動作を制御する。例えば、制御部２０４は、図示せずも、ＭＰＵ、このＭＰＵの動作プログラム等が記憶されたＲＯＭ、このＭＰＵの作業領域を構成するＲＡＭ等を備えた構成とされている。
【００４７】
処理部２０２は、例えば、５２５ｉ信号というＳＤ(Standard Definition)信号である画像信号Ｖａを、１０５０ｉ信号というＨＤ(High Definition)信号である画像信号Ｖｂに変換する。５２５ｉ信号は、１フレームのライン数が５２５本である、インタレース方式の画像信号である。１０５０ｉ信号は、１フレームのライン数が１０５０本である、インタレース方式の画像信号である。
【００４８】
図４は、５２５ｉ信号および１０５０ｉ信号のあるフレーム（Ｆ）の画素位置関係を示すものであり、奇数（ｏ）フィールドの画素位置を実線で示し、偶数（ｅ）フィールドの画素位置を破線で示している。大きなドットが５２５ｉ信号の画素であり、小さいドットが１０５０ｉ信号の画素である。図４からわかるように、１０５０ｉ信号の画素データとしては、５２５ｉ信号のラインに近い位置のラインデータＬ１，Ｌ１′と、５２５ｉ信号のラインから遠い位置のラインデータＬ２，Ｌ２′とが存在する。ここで、Ｌ１，Ｌ２は奇数フィールドのラインデータ、Ｌ１′，Ｌ２′は偶数フィールドのラインデータである。また、１０５０ｉ信号の各ラインの画素数は、５２５ｉ信号の各ラインの画素数の２倍である。
【００４９】
図３に戻って、処理部２０２は、バッファメモリ２１１と、予測タップ選択部２１２と、クラスタップ選択部２１３とを有している。バッファメモリ２１１は、入力端子２０１に入力された画像信号Ｖａを一時的に記憶する。タップ選択部２１２，２１３は、それぞれ、バッファメモリ２１１に記憶されている画像信号Ｖａに基づいて、画像信号Ｖｂにおける注目位置の周辺に位置する複数の画素データを、予測タップ、クラスタップのデータとして選択的に抽出する。
【００５０】
図５Ａは、予測タップのデータとして抽出される複数の画素データのパターン例を示している。図５Ｂは、クラスタップのデータとして抽出される複数の画素データ（実線部分）のパターン例を示している。なお、この図５Ａ，Ｂでは、注目位置が存在する現フィールドから予測タップ、クラスタップのデータとしての複数の画素データを抽出するようになっているが、さらに時間方向の前後の所定数のフィールドから抽出することも考えられる。
【００５１】
また、処理部２０２は、クラス検出部２１４を有している。このクラス検出部２１４は、クラスタップ選択部２１３で抽出されたクラスタップのデータとしての複数の画素データに対してデータ圧縮処理を施して、画像信号Ｖｂにおける注目位置の画素データが属するクラスを示すクラスコードＣＬを取得する。例えば、データ圧縮処理としては、ＡＤＲＣ(Adaptive Dynamic Range Coding)、ＤＰＣＭ（予測符号化）、ＶＱ（ベクトル量子化）等を利用できる。本実施の形態では、ＡＤＲＣ、例えば１ビットＡＤＲＣを利用している。
【００５２】
まず、ＫビットＡＤＲＣを利用する場合について説明する。この場合、クラスタップに含まれる画素データの最大値ＭＡＸと最小値ＭＩＮの差分であるダイナミックレンジＤＲ＝ＭＡＸ−ＭＩＮを検出し、またクラスタップに含まれるそれぞれの画素データについて、その画素データから最小値ＭＩＮを減算し、その減算値をＤＲ／２Kで除算（量子化）し、クラスタップを構成するそれぞれの画素データをＫビットに再量子化し、それを所定の順番で並べたビット列をクラスコードＣＬとする。
【００５３】
したがって、１ビットＡＤＲＣを利用する場合には、クラスタップに含まれるそれぞれの画素データについて、その画素データから最小値ＭＩＮを減算し、その減算値をＤＲ／２で除算し、クラスタップに含まれるそれぞれの画素データを１ビットに再量子化し、それを所定の順番で並べたビット列をクラスコードＣＬとして出力する。
【００５４】
また、処理部２０２は、係数データ生成部２１５を有している。後述する推定予測演算部２１７では、予測タップとしての複数の画素データｘｉと、係数データＷｉとを用い、（１）式の推定式に基づいて、画像信号Ｖｂにおける注目位置の画素データｙが求められる。この（１）式において、ｎは、予測タップとしての複数の画素データｘｉの個数である。
【００５５】
【数１】
2006211254.tif 000003
【００５６】
上述した係数メモリ８３に保持される係数種データは、上述した推定式の係数データＷｉを生成するための、画質パラメータｒ，ｚを含む生成式の係数データである。（２）式は、その生成式の一例を示しており、ｗijが係数種データである。ここで、画質パラメータｒは解像度を決めるパラメータであり、画質パラメータｚはノイズ除去度を決めるパラメータである。この係数種データｗijは、画像信号Ｖａを（５２５ｉ信号）を、画像信号Ｖｂ（１０５０ｉ信号）に変換するための情報である。
【００５７】
【数２】
2006211254.tif 000004
【００５８】
上述の図４に示すように、５２５ｉ信号を１０５０ｉ信号に変換する場合、奇数、偶数のそれぞれのフィールドにおいて、５２５ｉ信号の１画素に対応して１０５０ｉ信号の４画素を得る必要がある。
【００５９】
図６は、奇数、偶数フィールドにおける１０５０ｉ信号を構成する２×２の単位画素ブロックＵＢ内の４画素における中心予測タップからの位相ずれを示している。奇数フィールドの場合、単位画素ブロックＵＢ内の４画素ＨＤ１〜ＨＤ４の位置は、それぞれ、中心予測タップＳＤ０の位置から、水平方向にｋ１〜ｋ４、垂直方向にｍ１〜ｍ４だけずれている。偶数フィールドの場合、単位画素ブロックＵＢ内の４画素ＨＤ１′〜ＨＤ４′の位置は、それぞれ、中心予測タップＳＤ０′の位置から、水平方向にｋ１′〜ｋ４′、垂直方向にｍ１′〜ｍ４′だけずれている。
【００６０】
そのため、上述した各クラスの係数種データｗijは、８種類の出力画素（HD1〜HD4,HD1′〜HD4′）にそれぞれ対応した係数種データｗijからなっている。結局、係数メモリ８３には、クラスおよび出力画素の組み合わせ毎に、係数種データｗijが格納されている。
【００６１】
この係数種データｗijは、画像信号Ｖｂに対応した教師信号としての画像信号Ｖｂ′と画像信号Ｖａに対応した生徒信号としての画像信号Ｖａ′とから学習によって予め生成されたものである。この係数種データｗijの生成方法の詳細については後述する。
【００６２】
係数データ生成部２１５は、奇数、偶数の各フィールドにおいて、クラス検出部２１４で得られたクラスコードＣＬが表すクラスの、４出力画素（図６のHD1〜HD4、またはHD1′〜HD4′）にそれぞれ対応した４画素分の係数種データｗijを係数メモリ８３から取得し、さらに制御部２０４から供給される画質パラメータｒ，ｚの値を用い、（２）式の生成式に基づいて、４画素分の係数データＷｉを生成する。
【００６３】
ここで、係数メモリ８３から取得する係数種データｗijは、現在の画像信号源の切替状態、テレビチューナ６１の放送チャネルの切替状態、ズーム率による現在状態に対応した係数種データｗijとされる。また、制御部２０４から係数データ生成部２１５に供給される画質パラメータｒ，ｚの値は、以下の値とされる。すなわち、画像信号源の切替、放送チャネルの切替、あるいはズーム倍率の変更により、所定の状態に設定されるときは、上述したように情報取得部８２から送られてくる解像度、ノイズ除去度の予測調整値とされる。またその後、ユーザの操作により解像度、ノイズ除去度の値が調整されるときは、その調整後の解像度、ノイズ除去度の値とされる。
【００６４】
なお、ユーザの操作により解像度、ノイズ除去度の調整が行われるが、制御部２０４は、バス６０を介して情報取得部８２の不揮発性メモリ８２ａから、現在の状態に対応した調整範囲情報を取得し、その調整範囲情報に基づいてユーザによる解像度、ノイズ除去度の調整範囲を規制する。例えば、この調整範囲を、解像度、ノイズ除去度の予測調整値を略中心とする一定範囲に規制する。
【００６５】
また、処理部２０２は、推定予測演算部２１７を有している。この推定予測演算部２１７は、画像信号Ｖｂにおける注目位置に存在する単位画素ブロックＵＢ毎に画素データを求める。すなわち、推定予測演算部２１７は、予測タップ選択部２１２で抽出される単位画素ブロックＵＢ内の４画素（注目画素）に対応した、予測タップのデータｘｉ、および係数データ生成部２１５で生成される、その単位画素ブロックＵＢ内の４画素に対応した４画素分の係数データＷｉを用い、その単位画素ブロックＵＢを構成する４画素の画素データｙ1〜ｙ4を、それぞれ上述した（１）式の推定式で、個別に演算する。
【００６６】
また、処理部２０２は、後処理部２１８を有している。この後処理部２１８は、推定予測演算部２１７より順次出力される、単位画素ブロックＵＢ内の４画の画素データｙ1〜ｙ4を線順次化し、１０５０ｉ信号のフォーマットで出力する。
【００６７】
次に、図３に示す画質変更部の動作を説明する。
ＳＤ信号である画像信号Ｖａが入力端子２０１に入力され、この画像信号Ｖａはバッファメモリ２１１に一時的に記憶される。そして、この画像信号Ｖａに基づき、クラス分類適応処理により、画像信号Ｖｂを構成する各画素データが生成される。
【００６８】
すなわち、クラスタップ選択部２１３では、バッファメモリ２１１に記憶されている画像信号Ｖａに基づいて、画像信号Ｖｂにおける注目位置の周辺に位置する複数の画素データが、クラスタップのデータとして選択的に抽出される。この複数の画素データは、クラス検出部２１４に供給される。
【００６９】
クラス検出部２１４では、クラスタップのデータとしての複数の画素データに、例えば１ビットＡＤＲＣのデータ圧縮処理が施されて、画像信号Ｖｂにおける注目位置の画素データが属するクラスを示すクラスコードＣＬが得られる。このクラスコードＣＬは係数データ生成部２１５に供給される。
【００７０】
この係数データ生成部２１５では、奇数、偶数の各フィールドにおいて、クラスコードＣＬで示されるクラスの、４出力画素（図６のHD1〜HD4、またはHD1′〜HD4′）にそれぞれ対応した４画素分の係数種データｗi0〜ｗi9が、係数メモリ８３から取得される。また、この係数データ生成部２１５には、制御部２０４から画質パラメータｒ，ｚの値が供給される。そして、この係数データ生成部２１５では、各フィールドにおいて、４画素分の係数種データｗi0〜ｗi9および画質パラメータｒ，ｚの値が用いられ、上述の（２）式の生成式に基づいて、４出力画素分の係数データＷｉが生成される。この係数データＷｉは、推定予測演算部２１７に供給される。
【００７１】
また、予測タップ選択部２１２では、バッファメモリ２１１に記憶されている画像信号Ｖａに基づいて、画像信号Ｖｂにおける注目位置の周辺に位置する複数の画素データｘｉが、予測タップのデータとして選択的に抽出される。この複数の画素データｘｉは、推定予測演算部２１７に供給される。推定予測演算部２１７では、予測タップ選択部２１２で抽出された予測タップのデータとしての複数の画素データｘｉと、係数データ生成部２１５で生成された４出力画素分の係数データＷｉとから、画像信号Ｖｂにおける注目位置に存在する単位画素ブロックＵＢ内の４画素（注目画素）の画素データｙ1〜ｙ4が、上述の（１）式の推定式に基づいて、個別に演算される。
【００７２】
この推定予測演算部２１７より順次出力される、画像信号Ｖｂを構成する各単位画素ブロックＵＢ内の４画素の画素データｙ1〜ｙ4は、後処理部２１８に供給される。この後処理部２１８では、推定予測演算部２１７より順次供給される単位画素ブロックＵＢ内の４画素のデータｙ1〜ｙ4が線順次化され、１０５０ｉ信号のフォーマットで出力される。つまり、後処理部２１８からは画像信号Ｖｂ（１０５０ｉ信号）が得られ、この画像信号Ｖｂは出力端子２０３に出力される。
【００７３】
図７は、回収基板部７０の情報取得部８２の構成例を示している。この情報取得部８２は、ＣＰＵ１０１、ＲＯＭ１０２、ＲＡＭ１０３、不揮発性メモリ８２ａおよび入出力インタフェース（入出力Ｉ／Ｆ）１０４で構成され、これらはバス１０５に接続されている。ＲＯＭ１０２は、ＣＰＵ１０１の動作プログラム等を記憶している。ＲＡＭ１０３は、ＣＰＵ１０１の作業領域を構成している。不揮発性メモリ８２ａには、上述したように、各状態の出力の質調整情報が保持されている。入出力Ｉ／Ｆ１０４は、バス６０との間の入出力のインタフェース処理を行う。
【００７４】
次に、図２の画像処理装置５１の動作について説明する。
ユーザがリモートコントローラを操作して、例えば、所定のチャネルのテレビ放送の受信を指令すると、その指令に対応する赤外線信号が、受光部６７により受信され、対応する信号が、制御部６８に供給される。制御部６８は、この信号に基づいて、バス６０を介してテレビチューナ６１に、指定されたチャネルの受信を指令する制御命令を出力する。テレビチューナ６１は、この制御命令を受信したとき、指定されたチャネルの放送信号を受信し、これを復調して画像信号と音声信号を入力切替部６２に出力する。制御部６８は、いま、テレビ放送の受信が指令されているので、バス６０を介して入力切替部６２にテレビチューナ６１の出力を選択するように制御命令を出力する。入力切替部６２は、この制御命令に基づいて、テレビチューナ６１から供給された画像信号と音声信号を選択し、この画像信号を倍率画質変更部６３に供給し、この音声信号を音質設定部６５に供給する。
【００７５】
倍率画質変更部６３は、入力された画像信号を、倍率および画質の変更が指示されていなければ、そのまま画質設定部６４に出力する。画質設定部６４は、倍率画質変更部６３より供給された画像信号の明るさと色合いを、バス６０を介して制御部６８から供給される制御命令に基づいて、指定された値に調整、設定し、モニタ６６に出力する。音質設定部６５は、バス６０を介して、制御部６８から供給される制御命令に基づいて、入力切替部６２により供給される音声信号の音質を調整、設定し、モニタ６６に出力する。
【００７６】
このようにして、モニタ６６からは、指定されたチャネルのテレビ放送の画像と音声が出力される。
【００７７】
ユーザがリモートコントローラを制御してズーム率、あるいは解像度、ノイズ除去度の変更を指令すると、制御部６８は、バス６０を介して、倍率画質変更部６３を制御する。倍率画質変更部６３は、この制御に基づいて、変更されたズーム率で圧縮または縮小の処理を行った画像信号を生成するとともに、変更された解像度、ノイズ除去度を満足する解像度創造処理を行う。これにより、モニタ６６には、ユーザが指定したズーム率で、ユーザが指定した解像度とノイズ除去度の解像度創造処理を行った画像が表示される。
【００７８】
この場合、倍率画質変更部６３では、入力される画像信号の状態およびモニタ６６に表示される画像信号による画像のズーム状態に応じて、解像度、ノイズ除去度の調整範囲が規制される。この調整範囲の規制は、情報取得部８２の不揮発性メモリ８２ａに保持されている調整範囲情報に基づいて行われる。ここで、情報取得部８２の不揮発性メモリ８２ａに、各状態（画像信号源の切替、放送チャネルの切替、ズーム率の変更によって変化する、入力される画像信号の状態および画像信号による画像のズーム状態の組み合わせで構成される）の、ユーザに対応した調整範囲情報が保持されていれば、ユーザは解像度、ノイズ除去度の調整を希望する値に簡単かつ確実に調整できる。
【００７９】
また、ユーザがリモートコントローラを制御して、テレビチューナ６１のチャネルを変更し、あるいは入力切替部６２で選択する画像信号源を切り替えるように指令した場合、倍率画質変更部６３に入力される画像信号の状態が変化する。また、あるいはユーザがリモートコントローラを制御してズーム率の変更を指令した場合、モニタ６６に表示される画像信号による画像のズーム状態が変化する。
【００８０】
このような状態の変化がある場合、回収基板部７０の情報取得部８２からバス６０を介して倍率画質変更部６３に、変化後の状態に対応した解像度、ノイズ除去度の予測調整値が送信される。倍率画質変更部６３は、送られてくる解像度、ノイズ除去度の予測調整値を満足する解像度創造処理を行う。これにより、モニタ６６には、変化後の状態に対応した解像度とノイズ除去度の解像度創造処理を行った画像が表示される。
【００８１】
ここで、情報取得部８２の不揮発性メモリ８２ａに、各変化状態の、ユーザに対応した解像度、ノイズ除去度の予測調整値が保持されていれば、変化後の状態でモニタ６６に表示される画像の解像度およびノイズ除去度は自動的にユーザの嗜好にあったものとなる。すなわちこの場合、変化後の状態で、ユーザの手を煩わせることなく、ユーザの嗜好にあった解像度およびノイズ除去度を提供できる。
【００８２】
ここで、例えば、テレビチューナ６１により、図８に示すような画像が受信された場合について述べる。ユーザが１倍、２倍、または３倍のズーム率を指定すると、それぞれ、図９Ａ、図９Ｂ、または図９Ｃに示すような画像がモニタ６６に表示される。すなわち、ユーザが、２倍のズーム率を指定した場合には、図９Ａにおける２倍ズームの画角F2の画像が、図９Ｂに示すように拡大して表示され、３倍のズーム率が指定された場合には、図９Ａにおける３倍ズームの画角F3の画像が図９Ｃに示すように拡大して表示される。
【００８３】
そして、各ズーム率において、画像の解像度およびノイズ除去度は自動的にユーザの嗜好にあったものに調整される。図１０Ａ，Ｂは、１倍のズーム率を指定した場合において解像度が自動調整された画像の例を示している。図１０Ａは、解像度が比較的小さい値に調整された場合の画像を示し、図１０Ｂは、それより大きい値に解像度が調整された場合の画像を示している。
【００８４】
また、回収基板部７０では、情報取得部８２により、バス６０を介して入力された制御命令が蓄積部８１に順次蓄積されていく。図１１のフローチャートは、情報取得部８２の動作を示している。
【００８５】
まず、ステップＳＴ１１で処理を開始し、ステップＳＴ１２で、待機状態にする。そして、ステップＳＴ１３で、バス６０より制御命令を受信したか否かを判定する。制御命令を受信していないときは、ステップＳＴ１２に戻って待機状態にする。
【００８６】
制御命令を受信したときは、ステップＳＴ１４で、前回取得した制御命令と同一か否かを判定する。この判定は、受信した制御命令をバッファ（ＲＡＭ１０３に設けられている）に記憶されている制御命令と比較することで行われる。
【００８７】
同一であるときは、ステップＳＴ１２に戻って待機状態にする。同一でないときは、ステップＳＴ１５に進む。このステップＳＴ１５では、受信した制御命令を蓄積部８１に記憶する。そして、ステップＳＴ１６で、その制御命令を、上述したステップＳＴ１４で使用するために、バッファに記憶する。
【００８８】
次に、ステップＳＴ１７で、受信した制御命令が、画像信号源の切替、放送チャネルの切替、またはズーム率の変更に係るものであって、状態（入力される画像信号の状態および画像のズーム状態）を変化させるものであるか否かを判定する。状態を変化させるものでないときは、ステップＳＴ１２に戻って待機状態にする。
【００８９】
状態を変化させるものであるときは、ステップＳＴ１８に進む。このステップＳＴ１８では、変化後の状態に対応した解像度、ノイズ除去度の予測調整値を不揮発性メモリ８２ａから読み出し、倍率画質変更部６３に送信する。そして、その後に、ステップＳＴ１２に戻って待機状態にする。
【００９０】
次に、回収基板部７０の蓄積部８１の蓄積内容に基づいて、各状態（画像信号源の切替、放送チャネルの切替、ズーム率の変更によって変化する、入力される画像信号の状態および画像信号による画像のズーム状態の組み合わせで構成される）の、ユーザに対応した解像度、ノイズ除去度の予測調整値を求める方法を説明する。
【００９１】
まず、蓄積部８１から、入力される画像信号の各状態にそれぞれ対応したズーム率、解像度値、ノイズ除去度値のデータを抽出する。
【００９２】
図１２Ａ，Ｂは、この場合の処理例を示している。図１２Ａは蓄積部に蓄積されているデータ（制御命令）を示している。入力される画像信号がテレビチューナ６１から出力される８チャネルの画像信号である状態においては、例えば図１２Ｂに枠を付して示すように、「チャネル８」に係るデータ（ズーム率、解像度値、ノイズ除去度値）を抽出していく。入力される画像信号のその他の状態においても、同様にして、データを抽出する。
【００９３】
次に、入力される画像信号の各状態において、蓄積部８１から抽出されたデータをズーム率毎に分ける。これにより、入力される画像信号の状態およびズーム率（ズーム状態）の各組み合わせ毎に、解像度値およびノイズ除去度値のデータ群を得る。
【００９４】
次に、上述の各組み合わせ毎に、データ群に含まれる複数の解像度値の重心を求め、その重心を解像度の予測調整値とする。同様に、上述の各組み合わせ毎に、データ群に含まれる複数のノイズ除去度値の重心を求め、その重心をノイズ除去度の予測調整値とする。なお、解像度、ノイズ除去度の重心を求める際に、例えば日付に基づいて重み付けされる。
【００９５】
図１３は、ある組み合わせにおける解像度値およびノイズ除去度値のデータ群を表している。ここでは、色が濃いほど時間的に新しいデータあることを表し、色が薄いほど時間的に古いデータであることを表している。この場合、色が濃い新しいデータほど大きな係数で重み付けされて、解像度およびノイズ除去度の重心が演算される。Ｖ２１は、演算結果としての解像度の重心であり、この重心が解像度の予測調整値となる。Ｎ２１は、演算結果としてのノイズ除去度の重心であり、この重心がノイズ除去度の予測調整値となる。
【００９６】
次に、各状態（画像信号源の切替、放送チャネルの切替、ズーム率の変更によって変化する、入力される画像信号の状態および画像信号による画像のズーム状態の組み合わせで構成される）の、ユーザに対応した解像度、ノイズ除去度の調整範囲を求める方法を説明する。
【００９７】
まず、上述したように、各状態の、ユーザに対応した解像度、ノイズ除去度の予測調整値を求める。そして、各状態毎に、解像度、ノイズ除去度の予測調整値を略中心とする一定範囲を解像度、ノイズ除去度の調整範囲とする。
【００９８】
例えば、図１４の座標範囲Ａ１に示すように、解像度の調整範囲が４０〜１５０であり、ノイズ除去度の調整範囲が７０〜１２０であるときのユーザ調整値が、解像度については小さな値側に偏っており、ノイズ除去度については大きな値側に偏っており、解像度の予測調整値Ｖ２１が６５で、ノイズ除去度の予測調整値Ｎ２１が１０５と求められるとする。このとき、図１４の座標範囲Ａ２に示すように、解像度の調整範囲は２０〜１３０と求められ、ノイズ除去度の調整範囲は８０〜１３０と求められる。このように求められた調整範囲により、ユーザは、より小さな解像度値に調整が可能となり、またより大きなノイズ除去度値に調整が可能となる。したがって、ユーザは、自分の嗜好にあった解像度とノイズ除去度となるように、簡単かつ確実に調整できる。
【００９９】
図１５は、解像度、ノイズ除去度の調整範囲がズーム率によらず一定である場合の、各ズーム率における解像度、ノイズ除去度のユーザ調整値（「＋印」で図示）の分布例を示している。この場合、ズーム率が大きくなるほど、解像度のユーザ調整値は小さな値側に、ノイズ除去度のユーザ調整値は大きな値側に寄っていき、ユーザの調整範囲は実質的に狭くなっていると思われる。
【０１００】
この場合、図１６に実線枠で示すように、解像度、ノイズ除去度の調整範囲が求められる。これにより、ズーム率が大きい場合にも、ユーザに実質的に広い調整範囲を提供できる。なお、図１６の破線枠は、図１５に対応した解像度、ノイズ除去度の調整範囲を示している。
【０１０１】
次に、回収基板部７０の係数メモリ８３が保持する、各状態（画像信号源の切替、放送チャネルの切替、ズーム率の変更によって変化する、入力される画像信号の状態および画像信号による画像のズーム状態の組み合わせで構成される）における、各クラスの係数種データの生成方法を説明する。この係数種データは、学習によって生成される。ここでは、（２）式の生成式における係数データである係数種ｗi0〜ｗi9を求める例を示すものとする。
【０１０２】
ここで、以下の説明のため、（３）式のように、ｔj（ｊ＝０〜９）を定義する。
ｔ0＝１，ｔ1＝ｒ，ｔ2＝ｚ，ｔ3＝ｒ2，ｔ4＝ｒｚ，ｔ5＝ｚ2，ｔ6＝ｒ3，
ｔ7＝ｒ2ｚ，ｔ8＝ｒｚ2，ｔ9＝ｚ3
・・・（３）
この（３）式を用いると、（２）式は、（４）式のように書き換えられる。
【０１０３】
【数３】
2006211254.tif 000005
【０１０４】
最終的に、学習によって未定係数ｗijを求める。すなわち、クラスおよび出力画素の組み合わせ毎に、複数の学習データを用いて、二乗誤差を最小にする係数値を決定する。いわゆる最小二乗法による解法である。学習数をｍ、ｋ（１≦ｋ≦ｍ）番目の学習データにおける残差をｅk、二乗誤差の総和をＥとすると、（１）式および（２）式を用いて、Ｅは（５）式で表される。ここで、ｘikはＳＤ信号のｉ番目の予測タップ位置におけるｋ番目の画素データ、ｙkはそれに対応するｋ番目のＨＤ信号の画素データを表している。
【０１０５】
【数４】
2006211254.tif 000006
【０１０６】
最小二乗法による解法では、（５）式のｗijによる偏微分が０になるようなｗijを求める。これは、（６）式で示される。
【０１０７】
【数５】
2006211254.tif 000007
【０１０８】
ここで、（７）式、（８）式のように、Ｘipjq、Ｙipを定義すると、（６）式は、行列を用いて、（９）式のように書き換えられる。
【０１０９】
【数６】
2006211254.tif 000008
【０１１０】
【数７】
2006211254.tif 000009
【０１１１】
この（９）式が、係数種データｗi0〜ｗi9を算出するための正規方程式である。この正規方程式を掃き出し法（Gauss-Jordanの消去法）等の一般解法で解くことにより、係数種データｗi0〜ｗi9を求めることができる。
【０１１２】
図１７は、ある状態における係数種データの生成方法の概念を示している。
【０１１３】
教師信号としてのＨＤ信号から、生徒信号としての複数のＳＤ信号を生成する。ここで、ＨＤ信号からＳＤ信号を生成する際に使用する間引きフィルタの周波数特性を変えることにより、解像度の異なるＳＤ信号を生成する。
【０１１４】
解像度の異なるＳＤ信号によって、解像度を上げる効果の異なる係数種データを生成できる。例えばボケ具合の大きな画像が得られるＳＤ信号とボケ具合の小さな画像が得られるＳＤ信号があった場合、ボケ具合の大きな画像が得られるＳＤ信号による学習で、解像度を上げる効果の強い係数種データが生成され、ボケ具合の小さな画像が得られるＳＤ信号による学習で、解像度を上げる効果の弱い係数種データが生成される。
【０１１５】
また、解像度の異なるＳＤ信号の各々に対してノイズを加えることで、ノイズの加わったＳＤ信号を生成する。ノイズを加える量を可変することでノイズ量が異なるＳＤ信号が生成され、それによってノイズ除去効果の異なる係数種データが生成される。例えばノイズをたくさん加えたＳＤ信号とノイズを少し加えたＳＤ信号とがあった場合、ノイズをたくさん加えたＳＤ信号による学習でノイズ除去効果の強い係数種データが生成され、ノイズを少し加えたＳＤ信号による学習でノイズ除去効果の弱い係数種データが生成される。
【０１１６】
ノイズを加える量としては、例えば（１０）式のように、ＳＤ信号の画素値ｘに対して、ノイズｎを加えてノイズの加わったＳＤ信号の画素値ｘ′を生成する場合、Ｇを可変することでノイズ量を調整する。
ｘ′＝ｘ＋Ｇ・ｎ                            ・・・（１０）
【０１１７】
例えば、周波数特性を可変する画質パラメータｒの値を、上述したある状態で求められた解像度の調整範囲の最小値Ｖminから最大値Ｖmaxまで所定ステップΔＶで複数段階に可変し、またノイズを加える量を可変する画質パラメータｚの値を、上述したある状態で求められたノイズ除去度の調整範囲の最小値Ｎminから最大値Ｎmaxまで所定ステップΔＮで複数段階に可変して、複数種類のＳＤ信号を生成する。この複数種類のＳＤ信号とＨＤ信号との間で学習を行って、係数種データを生成する。この画質パラメータｒ，ｚは、図３の画質変更部における係数データ生成部２１５に供給される画質パラメータｒ，ｚに対応したものである。
【０１１８】
次に、上述した係数種データｗi0〜ｗi9を生成するための係数種データ生成装置２５０について説明する。図１８は、この係数種データ生成装置２５０の構成を示している。
【０１１９】
この係数種データ生成装置２５０は、入力端子２５１と、ＳＤ信号生成部２５２とを有している。入力端子２５１は、上述した画像信号Ｖｂに対応した、教師信号としての画像信号Ｖｂ′を入力するための端子である。ＳＤ信号生成部２５２は、この画像信号Ｖｂ′に対して、水平および垂直の間引き処理を行って、上述した画像信号Ｖａに対応した、生徒信号としての画像信号Ｖａ′を生成する。このＳＤ信号生成部２５２には、画質パラメータｒ，ｚが供給される。画質パラメータｒの値に対応して、画像信号Ｖｂ′から画像信号Ｖａ′を生成する際に使用する間引きフィルタの周波数特性が可変される。また、画質パラメータｚの値に対応して、画像信号Ｖａ′に加えるノイズの量が可変される。
【０１２０】
また、係数種データ生成装置２５０は、予測タップ選択部２５３と、クラスタップ選択部２５４とを有している。これらタップ選択部２５３，２５４は、それぞれ、ＳＤ信号生成部２５２で生成された画像信号Ｖａ′に基づいて、画像信号Ｖｂ′における注目位置の周辺に位置する複数の画素データを、予測タップ、クラスタップのデータとして選択的に抽出する。これらタップ選択部２５３，２５４は、それぞれ、上述した処理部２０２（図３参照）のタップ選択部２１２，２１３に対応している。
【０１２１】
また、係数種データ生成装置２５０は、クラス検出部２５５を有している。このクラス検出部２５５は、クラスタップ選択部２５４で選択的に抽出されたクラスタップのデータとしての複数の画素データを処理して、画像信号Ｖｂ′における注目位置の画素データが属するクラスを示すクラスコードＣＬを生成する。このクラス検出部２５５は、上述した処理部２０２のクラス検出部２１４に対応している。
【０１２２】
また、係数種データ生成装置２５０は、教師タップ選択部２５６を有している。この教師タップ選択部２５６は、画像信号Ｖｂ′に基づいて、当該画像信号Ｖｂ′における注目位置の画素データを選択的に抽出する。
【０１２３】
また、係数種データ生成装置２５０は、正規方程式生成部２５７を有している。この正規方程式生成部２５７は、教師タップ選択部２５６で選択的に抽出された、画像信号Ｖｂ′における各注目位置の画素データｙと、この各注目位置の画素データｙにそれぞれ対応して予測タップ選択部２５３で選択的に抽出された、予測タップのデータとしての複数の画素データｘｉと、各注目位置の画素データｙにそれぞれ対応してクラス検出部２５５で生成されたクラスコードＣＬと、画質パラメータｒ，ｚの値とから、クラス毎に、係数種データｗi0〜ｗi9を得るための正規方程式（（９）式参照）を生成する。
【０１２４】
この場合、１個の画素データｙとそれに対応する複数個の画素データｘｉとの組み合わせで１個の学習データが生成される。教師信号としての画像信号Ｖｂ′と、それに対応した生徒信号としての画像信号Ｖａ′との間で、クラス毎に、多くの学習データが生成されていく。これにより、正規方程式生成部２５７では、各クラスの係数種データｗi0〜ｗi9を得るための正規方程式がそれぞれ生成される。
【０１２５】
またこの場合、正規方程式生成部２５７では、出力画素（図６のHD1〜HD4，HD1′〜HD4′）毎に、正規方程式が生成される。すなわち、ＨＤ１〜ＨＤ４，ＨＤ１′〜ＨＤ４′に対応した正規方程式は、それぞれ、中心予測タップＳＤ０，ＳＤ０′からのずれ値がＨＤ１〜ＨＤ４，ＨＤ１′〜ＨＤ４′と同じ関係にある画素データｙから構成される学習データを用いて生成される。結局、正規方程式生成部２５７では、クラスおよび出力画素の組み合わせ毎に、係数種データｗi0〜ｗi9を得るための正規方程式が生成される。
【０１２６】
また、係数種データ生成装置２５０は、係数種データ決定部２５８と、係数種メモリ２５９とを有している。係数種データ決定部２５８は、正規方程式生成部２５７から正規方程式のデータの供給を受け、当該正規方程式を掃き出し法等によって解き、クラスおよび出力画素の組み合わせ毎に、係数種データｗi0〜ｗi9を求める。係数種メモリ２５９は、係数種データ決定部２５８で求められた係数種データｗi0〜ｗi9を格納する。
【０１２７】
次に、図１８に示す係数種データ生成装置２５０の動作を説明する。
入力端子２５１には、教師信号としての画像信号Ｖｂ′が入力される。この画像信号Ｖｂ′に対して、ＳＤ信号生成部２５２で水平および垂直の間引き処理が行われて、生徒信号としての画像信号Ｖａ′が生成される。この場合、ＳＤ信号生成部２５２には画質パラメータｒ，ｚが制御信号として供給され、周波数特性およびノイズ加算量が段階的に変化した複数の画像信号Ｖａ′が順次生成されていく。
【０１２８】
クラスタップ選択部２５４では、画像信号Ｖａ′に基づいて、画像信号Ｖｂ′における注目位置の周辺に位置する複数の画素データがクラスタップのデータとして選択的に抽出される。この複数の画素データはクラス検出部２５５に供給される。そして、クラス検出部２５５では、各画素データに対してＡＤＲＣ等のデータ圧縮処理が施されて、画像信号Ｖｂ′における注目位置の画素データが属するクラスを示すクラスコードＣＬが生成される。このクラスコードＣＬは、正規方程式生成部２５７に供給される。
【０１２９】
予測タップ選択部２５３では、画像信号Ｖａ′に基づいて、画像信号Ｖｂ′における注目位置の周辺に位置する複数の画素データｘｉが予測タップのデータとして選択的に抽出される。この複数の画素データｘｉは、正規方程式生成部２５７に供給される。また、教師タップ選択部２５６では、画像信号Ｖｂ′に基づいて、当該画像信号Ｖｂ′における注目位置の画素データｙが選択的に抽出される。この画素データｙは、正規方程式生成部２５７に供給される。
【０１３０】
正規方程式生成部２５７では、画像信号Ｖｂ′における各注目位置を対象として、当該各注目位置の画素データｙと、この各注目位置の画素データｙにそれぞれ対応した、予測タップのデータとしての複数の画素データｘｉと、各注目位置の画素データｙが属するクラスを示すクラスコードＣＬと、ＳＤ信号生成部２５２に供給されている画質パラメータｒ，ｚの値とから、クラスおよび出力画素の組み合わせ毎に、係数種データｗi0〜ｗi9を得るための正規方程式（（９）式参照）が生成される。
【０１３１】
そして、係数種データ決定部２５８では、正規方程式生成部２５７から正規方程式のデータが供給され、当該正規方程式が掃き出し法等によって解かれ、クラスおよび出力画素の組み合わせ毎に、係数種データｗi0〜ｗi9が求められる。この係数種データｗi0〜ｗi9は、係数種メモリ２５９に格納される。
【０１３２】
このように、図１８に示す係数種データ生成装置２５０においては、回収基板部７０の係数メモリ８３に格納すべき、係数種データｗi0〜ｗi9を生成できる。
【０１３３】
上述したように、図２に示す画像処理装置５１の回収基板部７０の蓄積部８１には、ズーム率の変更、解像度、ノイズ除去度の変更、さらには画像信号源の切替、放送チャネルの切替などに係る制御命令が履歴として蓄積されるものである。したがって、この回収基板部７０を回収し、蓄積部８１の蓄積内容に基づいて、各状態（画像信号源の切替、放送チャネルの切替、ズーム率の変更によって変化する、入力される画像信号の状態および画像信号による画像のズーム状態の組み合わせで構成される）における、ユーザに対応した出力の質調整情報（解像度、ノイズ除去度の予測調整値、その調整範囲情報）を得ることができる。この場合、画像処理装置５１内で出力の質調整情報を求める処理を行うものではなく、画像処理装置５１自体の構成を複雑にしないで済む。
【０１３４】
なお、上述実施の形態においては、画像信号による画像の質として解像度、ノイズ除去度の例を示したものであるが、画像の質はこれに限定されるものではない。例えば、明るさ、コントラスト、色温度なども考えられる。
【０１３５】
また、上述実施の形態においては、入力される画像信号の状態として、画像信号源の切替、放送チャネルの切替によるものを示したが、その他の状態であってもよい。例えば、入力される画像信号のノイズレベルなども考えられる。
【０１３６】
また、上述実施の形態においては、画像信号による画像の状態として、ズーム状態を示したが、その他の状態であってもよい。例えば、出力デバイスとして、例えばＣＲＴディスプレイ、ＬＣＤ、ＰＤＰ等の切替ができるものでは、その切替状態であってもよい。
【０１３７】
また、上述実施の形態においては、情報信号が画像信号であるものを示したが、この発明は情報信号が音声信号であるものにも同様に適用できる。この場合、入力される音声信号の状態として、音声信号源の切替、放送チャネルの切替、あるいはノイズレベルによるものが考えられる。また、音声信号による音声の状態として、音量などが考えられる。また、音声信号による音声の質としてノイズ除去度、解像度等が考えられる。
【産業上の利用可能性】
【０１３８】
この発明は、回収基板部に、入力される情報信号の状態や情報信号による出力の状態の設定の履歴および情報信号による出力の質の調整の履歴を蓄積する蓄積部を備え、この回収基板部を回収し、蓄積部の蓄積内容に基づいて、ユーザに対応した、各状態の出力の質調整情報を得ることができるようにしたものであり、画像表示装置、音響装置等に適用できる。
【図面の簡単な説明】
【０１３９】
【図１】実施の形態としての画像処理装置の原理的構成を示すブロック図である。
【図２】実施の形態としての画像処理装置の具体的な構成を示すブロック図である。
【図３】画質変更部の構成例を示すブロック図である。
【図４】ＳＤ信号とＨＤ信号の画素位置関係を示す図である。
【図５】予測タップ、クラスタップのパターン例を示す図である。
【図６】ＨＤ信号の単位画素ブロック内の４画素の中心予測タップからの位相ずれを示す図である。
【図７】回収基板部の情報取得部の構成例を示すブロック図である。
【図８】入力画像の例を示す図である。
【図９】出力画像の例を示す図である。
【図１０】出力画像の例を示す図である。
【図１１】情報取得部の動作を示すフローチャートである。
【図１２】蓄積データの抽出処理を説明するための図である。
【図１３】解像度、ノイズ除去度の予測調整値の求め方を説明するための図である。
【図１４】解像度、ノイズ除去度の調整範囲の求め方を説明するための図である。
【図１５】ズーム率と、解像度、ノイズ除去度のユーザ調整値との関係例を示す図である。
【図１６】解像度、ノイズ除去度の、求められた調整範囲を示す図である。
【図１７】係数種データの生成方法を説明するための図である。
【図１８】係数種データ生成装置の構成を示すブロック図である。
【符号の説明】
【０１４０】
１・・・画像処理装置、１１・・・入力装置、１２・・・変更部、１３・・・出力デバイス、１４・・・回収基板部、２１・・・画質変更部、２２，２４・・・つまみ、２３，２５・・・表示部、３１・・・倍率変更部、３２・・・つまみ、３３表示部、４１・・・蓄積部、５１・・・画像処理装置、６０・・・バス、６１・・・テレビチューナ、６２・・・入力切替部、６３・・・倍率画質変更部、６４・・・画質設定部、６５・・・音質設定部、６６・・・モニタ、６７・・・受光部、６８・・・制御部、６９・・・リムーバブルメディア、７０・・・回収基板部、８１・・・蓄積部、８２・・・情報取得部、８２ａ・・・不揮発性メモリ、８３・・・係数メモリ
【図１】
2006211254.tif 000010
【図２】
2006211254.tif 000011
【図３】
2006211254.tif 000012
【図４】
2006211254.tif 000013
【図５】
2006211254.tif 000014
【図６】
2006211254.tif 000015
【図７】
2006211254.tif 000016
【図８】
2006211254.tif 000017
【図９】
2006211254.tif 000018
【図１０】
2006211254.tif 000019
【図１１】
2006211254.tif 000020
【図１２】
2006211254.tif 000021
【図１３】
2006211254.tif 000022
【図１４】
2006211254.tif 000023
【図１５】
2006211254.tif 000024
【図１６】
2006211254.tif 000025
【図１７】
2006211254.tif 000026
【図１８】
2006211254.tif 000027